(57)【要約】【課題】  異なる動力源により駆動される複数の空調系統の料金の按分を柔軟に行う空調料金計算装置を提供する【解決手段】  １系統以上のガスヒートポンプのガス流量メータ、電力量メータ、１系統以上の電気ヒートポンプの三相電気メータ、単相電気メータから発信されるパルス信号を集中制御装置で受信する。集中制御装置は更に、空調室内機の各々の運転量を受信し記録する。空調室内機の各々に対して、按分方式が設定される。集中制御装置からデータを受け取った空調料金計算機は、パルス係数値から計算される各動力源の総消費量を空調機毎運転量の比によって各空調室内機に按分し、その結果に基づいて空調室内機毎の使用料金の按分計算を行う。【選択図】図１
2006125734.tif 000002
【特許請求の範囲】
【請求項１】
第１空調系統を駆動する第１動力源の使用量を示す第１信号を送信する第１メータと、
前記第１空調系統を駆動する第２動力源の使用量を示す第２信号を送信する第２メータと、
前記第１信号と前記第２信号とを受信する受信部と、
前記受信部が受信した前記第１信号と前記第２信号とを用いて前記第１空調系統の使用料金を算出する空調料金計算部と、を具備し、
前記空調料金計算部は、複数の按分方式の中から選択される前記第１空調系統の按分方式の入力を受け付ける選択部を備え、前記第１動力源の使用料金と前記第２動力源の使用料金とを前記選択部に入力された共通の按分方式により計算することを特徴とする空調料金計算装置。
【請求項２】
請求項１に記載された空調料金計算装置であって、
更に、第２空調系統を駆動する第３動力源の使用量を示す第３信号を送信する第３メータを具備し、
前記受信部は、前記第３信号を受信し、
前記選択部は、複数の按分方式の中から前記第１空調系統と前記第２空調系統との各々に対して独立に選択される按分方式の入力を受け付け、
前記空調料金計算部は、前記受信部が受信した前記第３信号を用いて前記第２空調系統の使用料金を算出することを特徴とする空調料金計算装置。
【請求項３】
請求項１または２に記載された空調料金計算装置であって、
前記第１動力源はガスであり、前記第２動力源は電力であり、前記第１空調系統はＧＨＰ（Ｇａｓ  Ｅｎｇｉｎｅ  Ｈｅａｔ  Ｐｕｍｐ）方式により空調を行うことを特徴とする空調料金計算装置。
【請求項４】
請求項３に記載された空調料金計算装置であって、
前記第２動力源と前記第３動力源とは同一種類の動力源であることを特徴とする空調料金計算装置。
【請求項５】
請求項３または４に記載された空調料金計算装置であって、
第２空調系統を駆動する第３動力源は三相電力であり、
前記第２空調系統は更に、単相電力である第４動力源を使用しても駆動されるＥＨＰ（Ｅｌｅｃｔｒｉｃ  Ｈｅａｔ  Ｐｕｍｐ）方式であり、
前記空調料金計算部は、前記第３動力源の使用料金と前記第４動力源の使用料金とを、共に、前記選択部に入力された前記第２空調系統の按分方式を用いて計算することを特徴とする空調料金計算装置。
【請求項６】
請求項１から５のうちのいずれか１項に記載された空調料金計算装置であって、
前記空調料金計算部は複数あり、
前記複数の空調料金計算部の各々は独立に按分方式に応じた料金計算式を設定することができることを特徴とする空調料金計算装置。
【請求項７】
請求項１から６のうちのいずれか１項に記載された空調料金計算装置と、
前記第１空調系統と、
前記第２空調系統と、
を具備することを特徴とする空調システム。
【発明の詳細な説明】
【技術分野】
【０００１】
本発明は、複数の動力を用いて駆動される空気調和機の料金を計算する装置に関する。
【背景技術】
【０００２】
空気調和機には、ＧＨＰ（Ｇａｓ  Ｅｎｇｉｎｅ  Ｈｅａｔ  Ｐｕｍｐ）方式、ＥＨＰ（Ｅｌｅｃｔｒｉｃ  Ｈｅａｔ  Ｐｕｍｐ）方式など異なる種類の動力で圧縮機が駆動されるものがある。詳細には、ＧＨＰ方式では圧縮機がガスエンジンで、ファンモータ等が電気により駆動され、ＥＨＰ方式では圧縮機やファンモータが三相電力または単相電力により駆動される。このように様々な動力源が混在した空調設備を有するビルでは、各室に料金を按分する様々な方法が考えられる。
【０００３】
特許文献１には、電力とガスを含む複数動力を使用する複数の空気調和機で前記複数動力毎に各々の空気調和機の動力使用料金を算出する空調料金管理装置において、前記複数の空気調和機の全体の消費動力量を各々の動力毎に計測し、前記計測された各々の動力を各々の空気調和機に按分する複数の動力按分方式を設定する動力按分手段を備え、前記複数の按分方式から動力毎に按分方式を選択することを特徴とする空調料金管理装置が開示されている。
【０００４】
【特許文献１】特許第３４８００９８号公報
【発明の開示】
【発明が解決しようとする課題】
【０００５】
本発明の目的は、異なる動力源により駆動される複数の空調系統の料金を按分する空調料金計算装置を提供することである。
本発明の他の目的は、個々の空調室内機に対してひとつの按分方式を設定することにより適切な按分計算を行う空調料金計算装置を提供することである。
本発明の更に他の目的は、ユーザー（テナントビルの管理者、テナントの利用者）にとって分かりやすく設定しやすい按分計算を可能にする空調料金計算装置を提供することである。
【課題を解決するための手段】
【０００６】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００７】
本発明による空調料金計算装置は、第１空調系統（２）を駆動する第１動力源（５）の使用量を示す第１信号を送信する第１メータ（６）と、第１空調系統（２）を駆動する第２動力源（７）の使用量を示す第２信号を送信する第２メータ（８）と、第１信号と第２信号とを受信する受信部（２２）と、受信部（２２）が受信した第１信号と第２信号とを用いて第１空調系統（２）の使用料金を算出する空調料金計算部（２６）とを備える。空調料金計算部（２６）は、複数の按分方式の中から選択される第１空調系統（２）の按分方式の入力を受け付ける選択部を備え、第１動力源（５）の使用料金と第２動力源（７）の使用料金とは選択部に入力された共通の按分方式により計算する。
【０００８】
より好適には、本発明による空調料金計算装置は、第２空調系統（４）を駆動する第３動力源（１３）の使用量を示す第３信号を送信する第３メータ（１４）を備えている。受信部（２２）は、第３信号を受信する。選択部は、複数の按分方式の中から第１空調系統（２）と第２空調系統（４）との各々に対して独立に選択される按分方式の入力を受け付ける。空調料金計算部（２６）は、受信部（２２）が受信した第３信号を用いて第２空調系統（４）の使用料金を算出する。
【０００９】
また、本発明による空調料金計算装置において、第１動力源（５）はガスであり、第２動力源（７）は電力である。第１空調系統（２）はＧＨＰ（Ｇａｓ  Ｅｎｇｉｎｅ  Ｈｅａｔ  Ｐｕｍｐ）方式により空調を行うことが好ましい。
【００１０】
また、本発明による空調料金計算装置において、第２動力源（７）と第３動力源（１３）とは同一種類の動力源としてもよい。
【００１１】
より好適には、本発明による空調料金計算装置において、第２空調系統（４）を駆動する第３動力源（１３）を三相電力とするとともに、単相電力である第４動力源（１５）を使用しても駆動されるＥＨＰ（Ｅｌｅｃｔｒｉｃ  Ｈｅａｔ  Ｐｕｍｐ）方式の第２空調系統（４）を採用する。空調料金計算部（２６）は、第３動力源（１３）の使用料金と第４動力源（１５）の使用料金とを、共に、選択部（２２）に入力された第２空調系統（４）の按分方式を用いて計算する。
【００１２】
また、本発明による空調料金計算装置において、空調料金計算部（２６）は複数設けられてもよい。複数の空調料金計算部の各々は独立に按分方式に応じた料金計算式を設定することができる。
【００１３】
本発明による空調システムは、上述した本発明による空調料金計算装置と、第１空調系統（２）と、第２空調系統（４）とを備える構成を採用する。
【発明の効果】
【００１４】
本発明によれば、異なる動力源により駆動される複数の空調系統の料金を按分する空調料金計算装置が提供される。
更に本発明によれば、個々の空調室内機に対してひとつの按分方式を設定することにより適切な按分計算を行う空調料金計算装置が提供される。
更に本発明によれば、ユーザー（テナントビルの管理者、テナントの利用者）にとって分かりやすく設定しやすい按分計算を可能にする空調料金計算装置が提供される。
【発明を実施するための最良の形態】
【００１５】
以下、図面を参照しながら本発明による空調料金計算装置を実施するための最良の形態について説明する。
【００１６】
図１を参照すると、本実施の形態における空調料金計算装置と、それが適用された空気調和機のシステム（例えば一棟のテナントビル全体の空調を行うシステム）とが示されている。本実施形態における空気調和機のシステムは、ＧＨＰ方式を採用するマルチ型空気調和機のＧＨＰ２とＥＨＰ方式を採用するマルチ型空気調和機のＥＨＰ４とから構成される。
【００１７】
ＧＨＰ２は、動力源としてガス５と電気７とを供給されている。ＧＨＰ２はガス流量メータ６と電力量メータ８とを備えている。ここで、ガス流量メータ６は、ガスが所定量（例えば１ｍ３）供給される毎にパルス信号を発信し、後述する集中制御装置２２に送信する。電力量メータ８は、電力が所定量（例えば１ｋＷｈ）供給される毎にパルス信号を発信し、集中制御装置２２に送信する。
また、ＧＨＰ２は少なくとも１台の室外機１０と、各々の室外機１０に対応して少なくとも１台の室内機１２とを備えている。各々の室外機１０は、１台以上の室内機１２と図示しない冷媒配管により接続された空調系統２−１、２−２を構成する。
【００１８】
ＥＨＰ４は、動力源として三相電気１３と単相電気１５とを供給されている。より詳細には、室外機１８に対して三相電気１３、室内機２０に対して単相電気１５という、電気という観点からは同一種類であるが相の異なる動力が供給される。
ＥＨＰ４は三相電力量メータ１４と単相電力量メータ１６とを備えている。ここで、三相電力量メータ１４は、三相電気１３の電力量が所定量（例えば１ｋＷｈ）供給される毎にパルス信号を発信し、後述する集中制御装置２２に送信する。単相電力量メータ１６は、単相電気１５の電力量が所定量（例えば１ｋＷｈ）供給される毎にパルス信号を発信し、後述する集中制御装置２２に送信する。
また、ＥＨＰ２は少なくとも１台の室外機１８と、各々の室外機１８に対応して少なくとも１台の室内機２０とを備えている。各々の室外機１８は、１台以上の室内機２０と図示しない冷媒配管により接続された空調系統４−１、４−２を構成する。
【００１９】
ＧＨＰ２とＥＨＰ４とはビルの複数の区画（テナント）の空調を行うために用いられる。テナントは、例えばＧＨＰ２に属する室内機１２を３台、ＥＨＰ４に属する室内機２０を１台、というように異なる方式の室外機に属する室内機１２、２０を混在して用いていることがある。
【００２０】
集中制御装置２２は、記憶装置２８を備えている。集中制御装置２２は更に、図示しない演算制御装置、入力装置、出力装置、及び通信装置を備えるものであり、例えば、パーソナルコンピュータ等のコンピュータシステムにより実現可能である。
集中制御装置２２は、ガス流量メータ６、電力量メータ８、三相電力量メータ１４、及び単相電力量メータ１６からのパルス信号を受信する。集中制御装置２２は、受信したパルス信号の所定時間毎（例：１０分毎、１時間毎、１日毎）の数を積算して（足し上げて）記憶する。
【００２１】
また、本実施形態に係る集中制御装置２２は、ＵＳＢ（Ｕｎｉｖｅｒｓａｌ  Ｓｅｒｉａｌ  Ｂｕｓ）コネクタを備えている。選択された按分方式にもとづいて計算された空調室内機毎の運転量、及びパルス信号の所定時間毎の積算値は、ＵＳＢコネクタに接続されるＵＳＢメモリ２４に保存される。
【００２２】
集中制御装置２２は、室内機１２、２０の各々を制御する制御装置と情報通信可能に接続されている。これにより集中制御装置２２は、空調機毎運転量（各々の室内機１２、２０の運転に関する情報）を収集し記憶することができる。具体的には、収集される情報としては、所定時間（例えば一日）内における、各々の室内機１２、２０の運転時間、冷媒流量（室内機電子膨張弁開度に応じた数値）、サーモＯＮ（冷暖房運転時）の時間、が例示される。
【００２３】
空調料金計算機２６は、記憶装置２７を備えている。空調料金計算機２６は更に、図示しない演算制御装置、入力装置、出力装置、及び通信装置を備えるものであり、例えば、パーソナルコンピュータ等のコンピュータシステムにより実現可能である。空調料金計算機２６はＵＳＢコネクタを備えている。空調料金計算機２６は、空調機毎運転量、及びパルス信号の所定時間毎の積算値等のデータを、ＵＳＢメモリ２４を介して集中制御装置２２から受け取り記憶する。
【００２４】
図２に、空調料金計算機２６の記憶装置２７に格納されているテーブルを示す。より詳細には、記憶装置２７は、系統定義テーブル３０と、パルス定義テーブル３２と、基本料金テーブル３４と、単価テーブル３５と、テナント構成テーブル３６とを格納している。これらのテーブルに格納されているデータは、空調料金計算機２６が備える表示装置により参照可能であり、入力装置により書き換え可能である。
【００２５】
集中制御装置２２と空調料金計算機２６との間のデータ転送がＵＳＢメモリで行われることにより、集中制御装置２２と空調料金計算機２６との間の配線工事が不要となり、装置の設置が容易となる。
【００２６】
図３に、集中制御装置２２の記憶装置２８に格納されているテーブルを示す。記憶装置２８は、按分方式・機種能力テーブル６０と、課金時間帯テーブル６１とを格納している。これらのテーブルに格納されているデータは、集中制御装置２２が備える表示装置により参照可能であり、入力装置により書き換え可能である。
【００２７】
図４に、系統定義テーブル３０のデータ構成を示す。系統定義テーブル３０は、各々の空調室内機を特定する識別子である空調機ＩＤ３７と、各々の空調室内機がどのパルス系統に属するか、すなわち、ガス流量メータ６、電力量メータ８、三相電力量メータ１４、単相電力量メータ１６などのうちどのメータに接続されているかを示す系統選択３８とを対応づけて格納している。
また、空調室内機と関連付けられるパルス系統は一つに限られるものではなく、例えば図４に示した空調機１−０６もしくは１−０７のように、複数の系統の選択を関連付けて記憶する方式を採用することが望ましい。
【００２８】
図５に、パルス定義テーブル３２のデータ構成を示す。パルス定義テーブル３２は、パルス系統３９と、パルス定数４０と、電力／ガス区分４１とを対応づけて格納している。パルス系統３９は、ガスメータ、電力メータなどのメータを識別する識別子である。パルス定数４０は、各々のメータが１つのパルスを発信する単位を示している。
例えば、図５に示したパルス定義テーブル３２の１行目では、電力／ガス区分４１が電気であり、パルス定数４０が１２．３４である旨規定する。これは、電力が１２．３４ｋＷｈ消費される毎に１発のパルス信号が発信されることを示している。同じく、２行目においては、電力／ガス区分４１がガスであり、パルス定数４０が４２．４５である旨規定する。これは、ガスが４２．４５ｍ３消費される毎に１発のパルス信号が発信されることを示している。
【００２９】
図６に、基本料金テーブル３４の一部である電気基本料金テーブル３４−１を示す。電気基本料金テーブル３４−１は、テナントを個別に特定するテナントＩＤ４３と、各々のテナントの（例えば毎月の）電気の基本料金４４とを対応づけて格納している。
【００３０】
図７に、基本料金テーブル３４の一部であるガス基本料金テーブル３４−２を示す。ガス基本料金テーブル３４−２は、テナントＩＤ４３と、各々の空調機の（例えば毎月の）ガスの基本料金５０とを対応づけて格納している。
【００３１】
図８に、単価テーブル３５のデータ構成を示す。単価テーブル３５は、パルス系統３９と、時間内単価４２と、時間外単価４６とを対応づけて格納している。時間内単価４２は、後述するように課金時間帯テーブル６１において時間内であると設定された時間内における電気またはガスの単価を示す。時間外単価４２は、時間内であると設定された時間以外の時間における電気またはガスの単価を示す。
【００３２】
図９に、テナント構成テーブル３６のデータ構成を示す。テナント構成テーブル３６は、テナントＩＤ４３と、テナントＩＤ４３により特定されるテナントに使用されている空調室内機を特定する構成空調機ＩＤ４５とを対応づけて格納している。
【００３３】
図１０に、按分方式・機種能力テーブル６０のデータ構成を示す。按分方式・機種能力テーブル６０は、空調機ＩＤ３７と、按分方式５９と、機種能力６２とを対応づけて格納している。按分方式５９は、空調機ＩＤ３７により特定される空調室内機の使用料金を計算するための無次元化された運転量を算出する方式の種別を示す。機種能力６２は、空調機ＩＤ３７により特定される空調室内機の能力を示す。
【００３４】
図１１に、課金時間帯テーブル６１のデータ構成を示す。電気、ガスの単価は、一日の所定の時間内とそれ以外の時間帯とで異なることがある。課金時間帯テーブル６１は、該所定の時間の開始時刻と終了時刻とを格納している。ただし、課金時間帯テーブル６１のデータ構成は図１１に示した構成に限られるものではなく、動力の単価に応じた時間帯のみならず、一定の就業時間帯以外での時間単価をオーナー側の希望設定とするべく、複数の時間帯との関連付けを行う構成としてもよい。
【００３５】
図１２に、本実施の形態における空調料金計算装置の計算フローを示す。
【００３６】
ステップＳ２：集中制御装置２２は、空調室内機毎運転量を計算するための運転データを受信する。集中制御装置２２は、按分方式・機種能力テーブル６０を参照して各々の空調室内機に対して設定された按分方式５９と機種能力６２とを読み出す。集中制御装置２２は、読み出された按分方式５９に基づいて、空調機毎運転量（各々の空調室内機の運転量）を計算する。空調機毎運転量は、予め設定され記憶装置２８に記憶された定数を掛けられることにより、無次元量化されている。
【００３７】
集中制御装置２２は、課金時間帯テーブル６１を参照して、設定された時間内における空調機毎運転量の積算値と、時間外における空調機毎運転量の積算値とを算出する。
【００３８】
按分方式５９は、（１）各々の空調室内機の運転時間×機種能力６２、（２）各々の空調室内機の空調負荷（冷媒流量；室内機電子膨張弁開度に応じた数値）、（３）サーモＯＮ（冷暖房運転時）の時間×機種能力６２、などの方式から選択される。
【００３９】
按分方式・機種能力テーブル６０のデータ構成によれば、按分方式５９は各々の空調室内機３７ごとに設定される。そのため、例えばＧＨＰ２の室内機１２の場合、ガスと電気に対して共通の按分方式が設定される。ＥＨＰ４の室内機２０の場合、三相電気１３と単相電気１５とに対して共通の按分方式が設定される。
【００４０】
空調室内機に対応して按分方式を設定する方式は、動力源（ガス、三相電気、単相電気など）毎に按分方式を設定する方式に比べ、ユーザ（ビル管理者、テナントの利用者）により分かりやすく、ユーザーニーズに合った按分方式の設定をすることが容易である。
【００４１】
ステップＳ４：各々のメータ（ガス流量メータ６、電力量メータ８、三相電力量メータ１４、単相電力量メータ１６を含む）は、各動力源の使用量に応じてパルス信号を発信し、集中制御装置２２に発信する。集中制御装置はパルス信号を受信する。
【００４２】
集中制御装置２２は、課金時間帯テーブル６１を参照して、設定された時間内において受信したパルス信号の積算値と、時間外において受信したパルス信号の積算値とを算出する。
【００４３】
ステップＳ６：集中制御装置２２は、ステップＳ２において算出した空調機毎運転量とステップＳ４において算出したパルス信号の積算値（双方とも時間内と時間外とに分けて算出されている）とを記憶する。記憶された空調機毎運転量とパルス信号の積算値とは、所定時間毎（例えば一日毎）に、ＵＳＢメモリ２４を介して空調料金計算機２６に転送される。
【００４４】
ステップＳ８：空調料金計算機２６は、パルス定義テーブル３２を参照して、各々のパルス系統３９に関して、ステップＳ６において記録されたパルス信号の積算値にパルス定数を掛ける。これにより、各々のパルス系統に属する空調機（より正確には、系統定義テーブル３０において各々のパルス系統３９に対応する系統選択３８が設定された空調機ＩＤ３７により特定される空調室内機）の総消費量が得られる。この総消費量は、時間内と時間外とに分けて算出される。
【００４５】
ステップＳ１０：空調料金計算機２６は、空調室内機毎の消費量を、次式により算出する：
空調機毎消費量（時間内／外）＝総消費量（時間内／外）×該当空調機の運転量（時間内／外）÷該当メータに所属する空調機の運転量の総量（時間内／外）。
【００４６】
ステップＳ２において空調機毎運転量が無次元量化されているために、同一のパルス系統に属する複数の空調室内機が異なる按分方式に設定されている場合であっても、上式のように、パルス定数から計算される各動力源の総消費量を空調機毎消費量の比によって各空調室内機に按分することが可能となっている。
【００４７】
ステップＳ１２：空調料金計算機２６は系統定義テーブル３０を参照して、各々の空調室内機がどのパルス系統に属するかを検索する。空調料金計算機２６は、単価テーブル３５を参照して、検索されたパルス系統３９に対応する時間内単価４２と時間外単価４６とを検索する。空調料金計算機２６は、各々の空調室内機毎に、次式により使用料金を算出する：
空調機毎使用料金＝空調機毎消費量（時間内）×時間内単価＋空調機毎消費量（時間外）×時間外単価。
【００４８】
ステップＳ１４：空調料金計算機２６は、基本料金テーブル３４を参照し、各々のテナントＩＤ４３に対応する電気の基本料金４４とガスの使用料金５０とを検索する。空調料金計算機２６は、テナント構成テーブル３６を参照し、各々のテナントＩＤ４３に対応する構成空調機４５を参照する。
具体的には、空調料金計算機２６は、次式によって、テナント毎空調料金を算出する処理を行う。
【００４９】
まず、動力源が電気である場合を説明する。
テナント毎空調料金（電気）＝基本料金（電気）＋Σ（テナントを構成する空調機の空調機毎使用料金）
ここで、
空調機毎使用料金（電気）＝パルス系統１の電力消費量×パルス系統１単価＋パルス系統２の電力消費量×パルス系統２単価＋・・・＋パルス系統８の電力消費量×パルス系統８単価
空調料金計算機２６は、各種テーブルを参照しつつ、これらの式に基づく算出処理を時間内、時間外それぞれ計算し合算する。算出処理にあたり、該当空調室内機が系統定義テーブル３０にて登録されていないパルス系統の消費量は０となる。また、パルス定義テーブル３２の電力／ガス区分４１がガスの場合も消費量は０となり加算されない。
【００５０】
次に、動力源にガスを用いる場合を説明する。
テナント毎空調料金（ガス）＝基本料金（ガス）＋Σ（テナントを構成する空調機の空調機毎使用料金）
ここで、
空調機毎使用料金（ガス）＝パルス系統１のガス消費量×パルス系統１単価＋パルス系統２のガス消費量×パルス系統２単価＋パルス系統８のガス消費量×パルス系統８単価
空調料金計算機２６は、各種テーブルを参照しつつ、これらの式に基づく算出処理を時間内、時間外それぞれ計算し合算する。算出処理にあたり、該当空調室内機が系統定義テーブル３０にて登録されていないパルス系統の消費量は０となる。また、パルス定義テーブル３２の電力／ガス区分４１が電気の場合も消費量は０となり加算されない。
また、単価テーブル３５をパルス系統毎に設定するのではなく、ガス、電気の時間内・時間外単価設定のみとすることで、計算を簡単にすることが可能である。
【００５１】
以上のフローによって算出される料金は、以下の特徴を持っている。
【００５２】
ＧＨＰにおけるガス流量計と電力量計は同じ按分方式が取られる。ＧＨＰにおける電力量計とＥＨＰにおける電力量計とは独立した按分方式が取られる。すなわち、複数系統、本実施の形態ではＧＨＰとＥＨＰとは、それぞれに異なる按分方式を設定することができる。かつ、同一系統内の複数動力、本実施の形態ではＧＨＰの電力系とガス系とは同一の按分方式にセットされる。例えばＧＨＰは冷媒流量（空調負荷）による按分方式、ＥＨＰは運転時間による按分方式を選択することができる。
【００５３】
本実施の形態の変形例として、集中制御装置２２と空調料金計算機２６とをＬＡＮにより接続し、ＵＳＢメモリに代えてＬＡＮによりデータ転送を行う構成が可能である。その場合、ＬＡＮには各々が独立に料金計算式を選択可能な複数の空調料金計算機２６を備える構成が可能である。こうした構成の空調料金計算装置によれば、目的に応じたエネルギー計算が容易となり、より利便性高くエネルギー管理が可能となる。
【００５４】
更に、按分方式の他の例として、「室内機の主エネルギー消費元である室内ファンモータの運転時間×ファンモータ回転数×機種能力」に比例して料金を按分する方式を採用することも好ましい。こうした按分方式を用いることにより、より精度の高い消費エネルギー量の算出が可能となる。
【図面の簡単な説明】
【００５５】
【図１】図１は、空調装置と空調料金計算装置の構成を示す。
【図２】図２は、空調料金計算機に記憶されているテーブルを示す。
【図３】図３は、集中制御装置に記憶されているテーブルを示す。
【図４】図４は、系統定義テーブルを示す。
【図５】図５は、パルス定義テーブルを示す。
【図６】図６は、電気基本料金テーブルを示す。
【図７】図７は、ガス基本料金テーブルを示す。
【図８】図８は、単価テーブルを示す。
【図９】図９は、テナント構成テーブルを示す。
【図１０】図１０は、按分方式・機種能力テーブルを示す。
【図１１】図１１は、課金時間帯テーブルを示す。
【図１２】図１２は、料金計算の手順を示すフローチャートである。
【符号の説明】
【００５６】
２…ＧＨＰ（Ｇａｓ  Ｈｅａｔ  Ｐｕｍｐ）
２−１、２−２…空調系統
４…ＥＨＰ（Ｅｌｅｃｔｒｉｃ  Ｈｅａｔ  Ｐｕｍｐ）
４−１、４−２…空調系統
５…ガス
６…ガス流量メータ
７…電気
８…電気量メータ
１０…室外機
１２…室内機
１３…三相電気
１４…三相電力量メータ
１５…単相電気
１６…単相電力量メータ
１８…室外機
２０…室内機
２２…集中制御装置
２４…ＵＳＢメモリ
２６…空調料金計算機
２７…記憶装置
２８…記憶装置
３０…系統定義テーブル
３２…パルス定義テーブル
３４…基本料金テーブル
３４−１…電気基本料金テーブル
３４−２…ガス基本料金テーブル
３５…単価テーブル
３６…テナント構成テーブル
３７…空調機ＩＤ
３８…系統選択
３９…パルス系統
４０…パルス定数
４１…電力／ガス区分
４２…時間内単価
４３…テナントＩＤ
４４…電気の基本料金
４５…構成空調機ＩＤ
４６…時間外単価
５０…ガスの基本料金
５２…ガス料金
５４…電気料金
５９…按分方式
６０…按分方式・機種能力テーブル
６１…課金時間帯テーブル
６２…機種能力
【図１】
2006125734.tif 000003
【図２】
2006125734.tif 000004
【図３】
2006125734.tif 000005
【図４】
2006125734.tif 000006
【図５】
2006125734.tif 000007
【図６】
2006125734.tif 000008
【図７】
2006125734.tif 000009
【図８】
2006125734.tif 000010
【図９】
2006125734.tif 000011
【図１０】
2006125734.tif 000012
【図１１】
2006125734.tif 000013
【図１２】
2006125734.tif 000014